(57)【要約】【課題】吹出し口からの風量を維持又は上昇させつつ、送風機から発生する騒音を低減することが可能な空気調和装置を提供することを目的とする。【解決手段】空気調和装置は、吹出し口４と、吹出し口４に設置され、吹き出される空気の流れ方向を変更可能なルーバ６とを備え、ルーバ６の表面において、空気の流れ方向に沿って細長い流線型形状を有する突起部７が形成されている。突起部７は、ルーバ６の表面において、下流側に常時乱流を発生させ、境界層剥離を抑制する。【選択図】図３
2019203674.tif 000002
【特許請求の範囲】
【請求項１】
吹出し口と、
前記吹出し口に設置され、吹き出される空気の流れ方向を変更可能な風向調整板と、
を備え、
前記風向調整板の表面において、前記空気の流れ方向に沿って細長い流線型形状を有する突起部が形成されている空気調和装置。
【請求項２】
吹出し口と、
前記吹出し口に設置され、吹き出される空気の流れ方向を変更可能な風向調整板と、
を備え、
前記風向調整板の表面において、下流側に常時乱流を発生させ、境界層剥離を抑制する突起部が形成されている空気調和装置。
【請求項３】
前記突起部は、前記空気の流れ方向に対して垂直方向に複数配置されている請求項１又は２に記載の空気調和装置。
【請求項４】
前記突起部は、前記風向調整板の一面側のみに形成されている請求項１から３のいずれか１項に記載の空気調和装置。
【発明の詳細な説明】
【技術分野】
【０００１】
本発明は、空気調和装置に関するものである。
【背景技術】
【０００２】
空気調和装置には送風機が内蔵され、送風機によって室内への送風が行われる。一般に送風機の回転数を大きくするほど風量が上昇するが、送風機から発生する騒音も大きくなる。
【０００３】
下記の特許文献１では、フラップの長手方向における両端部において、送風される空気の乱れが著しく、騒音が発生するため、送風フラップの案内表面に多数の溝を形成することが記載されている。
【０００４】
また、下記の特許文献２では、横羽根の吐出風の当たる面に複数の整流板を設けた技術が開示されている。これにより、空気調和機の長手方向において吸込み口や熱交換器の不均一又はファンの形状の不均一があることを原因として、吐出風の一部が横走りして乱流が起こるのを防止する。
【０００５】
さらに、下記の特許文献３では、空気の吹出し側の流路において、クロスフローファンに対して角度をつけて整流板が設けられた技術が開示されている。これにより、ファンプレートの近傍での風の乱れで発生する騒音を低減する。
【先行技術文献】
【特許文献】
【０００６】
【特許文献１】特開平８−２５４３５２号公報
【特許文献２】実開昭５７−１７４９３４号公報
【特許文献３】特開平１１−２７０８７０号公報
【発明の概要】
【発明が解決しようとする課題】
【０００７】
上記特許文献１から３では、吹出し空気が流通又当たる部位において生じる騒音を低減することを目的として細長い溝や整流板を設けている。一方、空気調和装置で発生する騒音には、上述したとおり、送風機に起因するものがあるため、吹出し口からの風量を維持又は上昇させつつ、送風機から発生する騒音を低減できることが望ましい。
【０００８】
本発明は、このような事情に鑑みてなされたものであって、吹出し口からの風量を維持又は上昇させつつ、送風機から発生する騒音を低減することが可能な空気調和装置を提供することを目的とする。
【課題を解決するための手段】
【０００９】
上記課題を解決するために、本発明の空気調和装置は以下の手段を採用する。
すなわち、本発明に係る空気調和装置は、吹出し口と、前記吹出し口に設置され、吹き出される空気の流れ方向を変更可能な風向調整板とを備え、前記風向調整板の表面において、前記空気の流れ方向に沿って細長い流線型形状を有する突起部が形成されている。
【００１０】
この構成によれば、吹出し口に設置された風向調整板は、吹き出される空気の流れ方向を変更できる板材であり、風向調整板の表面には、空気の流れ方向に沿って細長い流線型形状を有する突起部が形成されている。これにより、吹出し口から吹き出される空気が、風向調整板に沿って流れた結果、突起部は、突起部の下流側における風向調整板の表面に常時乱流を発生させる。そして、突起部は、境界層剥離を抑制して、乱流化された境界層を維持するため、風向調整板の表面において、空気の流れの剥離が遅れ、空気抵抗が減少する。
【００１１】
したがって、風向調整板に沿って空気が流れやすくなり、突起部が形成されていない風量調整板と比べて、風向調整板に沿って流れる風量を増加させることができる。よって、従来と比べて送風機の回転数を同一としても風量を上げることができ、送風機を要因とする騒音を低減できる。
【００１２】
また、風向調整板の表面において空気抵抗が減少することから、吹出し口外部の空気を巻き込みにくくなる。その結果、冷房運転時において湿度の高い空気が吹出し口に接触しなくなり、吹出し口で発生する結露を抑制できる。
【００１３】
本発明に係る空気調和装置は、吹出し口と、前記吹出し口に設置され、吹き出される空気の流れ方向を変更可能な風向調整板とを備え、前記風向調整板の表面において、下流側に常時乱流を発生させ、境界層剥離を抑制する突起部が形成されている。
【００１４】
上記発明において、前記突起部は、前記空気の流れ方向に対して垂直方向に複数配置されてもよい。
【００１５】
この構成によれば、風向調整板が空気の流れ方向に対して垂直方向に長い長尺状板材であるときにも、風向調整板の長手方向のほぼすべての領域にわたって空気抵抗を減少させることができる。
【００１６】
上記発明において、前記突起部は、前記風向調整板の一面側のみに形成されてもよい。
【００１７】
この構成によれば、風向調整板の一面側のみに突起部が形成され、突起部が形成された風向調整板の一面に当たったほうの空気の風量がより増加する。空気の風量を増加させたいほうに突起部が設けられればよい。
【発明の効果】
【００１８】
本発明によれば、吹出し口からの風量を維持又は上昇させつつ、送風機から発生する騒音を低減することができる。
【図面の簡単な説明】
【００１９】
【図１】本発明の一実施形態に係る空気調和装置の室内機を示す斜視図である。
【図２】本発明の一実施形態に係る室内機を示す部分拡大斜視図であり、吹出し口付近を示している。
【図３】本発明の一実施形態に係る室内機の吹出し口及びルーバを示す斜視図である。
【図４】本発明の一実施形態に係るルーバと突起部を示す平面図である。
【図５】本発明の一実施形態に係るルーバと突起部を示す側面図である。
【発明を実施するための形態】
【００２０】
以下に、本発明に係る実施形態について、図面を参照して説明する。
本発明の一実施形態に係る空気調和装置の室内機１は、図１及び図２に示すように、筐体２と、筐体２に内蔵された送風機（図示せず。）及び熱交換器（図示せず。）などを備える。また、室内機１の筐体２には、外部空気を筐体２内へ取り込む吸込み口３と、熱交換後の空気を筐体２内から外部へ吹き出す吹出し口４が形成される。
【００２１】
外部空気は、送風機によって、吸込み口３を介して、筐体２内へ取り込まれる。送風機によって取り込まれた空気は、熱交換器を通過するとき、熱交換器内を流れる冷媒と熱交換される。冷房運転時、空気は冷媒によって冷却され、暖房運転時、空気は冷媒によって加熱される。熱交換器を通過した空気は、吹出し口４を介して、筐体２内から外部へ吹き出される。
【００２２】
吹出し口４には、吹き出される空気の流れを変更するフラップ５及びルーバ６が設置される。フラップ５及びルーバ６は、いずれも風向調整板の一例である。
【００２３】
フラップ５は、長尺状の板状部材であり、吹出し口４において長手方向が水平方向に対して平行となるように設置される。フラップ５は、フラップ５の長手方向に対して平行な軸を中心にして回動する。これにより、フラップ５は、吹出し口４から吹き出される空気の風向を上下方向に調整できる。
【００２４】
ルーバ６は、長尺状の板状部材であり、吹出し口４において長手方向が鉛直方向に対して平行となるように設置される。ルーバ６は、ルーバ６の長手方向に対して平行な軸を中心にして回動する。これにより、ルーバ６は、吹出し口４から吹き出される空気の風向を左右方向に調整できる。
【００２５】
なお、吹出し口４には、フラップ５とルーバ６のいずれか一方のみ設置されてもよい。
【００２６】
フラップ５とルーバ６の表面には、図３から図５に示すように、細長い流線型形状を有する突起部７が形成される。なお、図１及び図２では、フラップ５とルーバ６の表面における突起部７を省略して示している。
以下では、ルーバ６の表面に突起部７が形成される場合について説明する。フラップ５の表面に形成される突起部７も同一の構成及び作用効果を奏する。
【００２７】
突起部７は、吹出し口４から吹き出される空気の流れ方向に沿って細長い流線型形状を有し、ルーバ６の平滑な板面から凸状に突起している。突起部７は、空気の流れ方向の上流側に位置する先端が半球形状を有し、下流側に位置する後端が尖った形状を有する。すなわち、突起部７は、先端から後端に向かって徐々に幅及び高さが大きくなり、中間あたりで、幅及び高さが最大となり、中間から後端にかけて徐々に幅及び高さが小さくなるように形成される。
【００２８】
突起部７の長さは、ルーバ６の短手方向の幅に比べて短く、突起部７は、ルーバ６の短手方向の幅内に一つのみ配置される。
【００２９】
突起部７は、渦発生器（ヴォルテックスジェネレータ、エアロスタビライジングフィンなどとも呼ばれる。）である。上述した突起部７が形成されることによって、吹出し口４から吹き出される空気は、ルーバ６に沿って流れ、突起部７の下流側における風向調整板の表面に常時乱流が発生する。そして、突起部７は、境界層剥離を抑制して、乱流化された境界層が維持するため、ルーバ６の表面において、空気の流れの剥離が遅れ、空気抵抗が減少する。
【００３０】
したがって、ルーバ６に沿って空気が流れやすくなり、突起部７が形成されていないルーバと比べて、ルーバ６に沿って流れる風量を増加させることができる。よって、従来と比べて送風機の回転数を同一としても吹出し口４からの風量を上げることができる。また、従来と比べて風量を維持する場合は、送風機の回転数を減少させることができる。したがって、本実施形態によれば、送風機を要因とする騒音を低減できる。
【００３１】
また、ルーバ６の表面において空気抵抗が減少することから、吹出し口４の外部の空気を巻き込みにくくなる。その結果、冷房運転時において湿度の高い空気が吹出し口４に接触しなくなり、吹出し口４で発生する結露を抑制できる。
【００３２】
なお、突起部７は、ルーバ６の長手方向、すなわち、空気の流れ方向に対して垂直方向に複数配置される。これにより、ルーバ６が空気の流れ方向に対して垂直方向に長い長尺状板材であるときにも、ルーバ６の長手方向のほぼすべての領域にわたって空気抵抗を減少させることができる。
【００３３】
ルーバ６の長手方向の長さによっては、突起部７は、ルーバ６の長手方向の長さ内に複数ではなく、一つのみ配置されてもよい。
【００３４】
さらに、突起部７は、ルーバ６の両面側に形成されてもよいし、ルーバ６の一面側のみに形成されてもよい。これにより、ルーバ６の両面側に突起部７が形成されれば、ルーバ６の板面の延長方向に向けて風量を増加させることができる。また、ルーバ６の一面側のみに突起部７が形成される場合、突起部７が形成されたルーバ６の一面に当たったほうの空気の風量がより増加する。すなわち、空気の風量を増加させたいほうの面に突起部７が設けられればよい。
【００３５】
なお、上述した突起部７は、細長い流線型形状を有し、フラップ５又はルーバ６の平滑な板面から凸状に突起しているものであるとしたが、本発明はこの例に限定されない。吹出し口から吹き出される空気が、風向調整板に沿って流れた結果、突起部の下流側における風向調整板の表面に常時乱流を発生させ、境界層剥離を抑制して、乱流化された境界層を維持する形状を有するものであれば、他の形状でもよい。例えば、フラップ５又はルーバ６の平滑な板面から凸状に突起しており、平面視が楕円形で半楕円球形状のもの、平面視がひし形で四角錐形状のものなどが例として挙げられる。
【符号の説明】
【００３６】
１  ：室内機
２  ：筐体
３  ：吸込み口
４  ：吹出し口
５  ：フラップ
６  ：ルーバ
７  ：突起部
【図１】
2019203674.tif 000003
【図２】
2019203674.tif 000004
【図３】
2019203674.tif 000005
【図４】
2019203674.tif 000006
【図５】
2019203674.tif 000007